(57)【要約】【課題】  放送受信装置と映像機器装置とからなる映像システムにおいて、放送受信装置がフルＴＳを変換したパーシャルＴＳを映像機器装置に出力すると共に、当該映像機器装置に自動表示メッセージを表示させることのできる映像システムを提供する。【解決手段】  放送受信装置１は、チューナ部１０１で受信するフルＴＳに対し、ストリーム解析部１０２で所定のＴＳパケットのみを抜き出してパーシャルＴＳに変換すると共に、自動表示メッセージに関するメッセージ情報をフルＴＳから分離する。このメッセージ情報をメッセージ情報生成部１０３でＵＰｎＰ表現に変換して、ストリーム解析部１０２で作成されたパーシャルＴＳ及びＵＰｎＰ表現に変換されたメッセージ情報を通信部１０４から映像機器装置であるＴＶに送信する。【選択図】      図３
2006319573.tif 000002
【特許請求の範囲】
【請求項１】
デジタル放送より、所望のチャネルのトランスポートストリームを受信する受信手段と、
前記受信手段により受信された前記トランスポートストリームからパーシャルトランスポートストリームを作成すると共に、前記トランスポートストリームからメッセージ情報を分離するストリーム解析部と、
前記ストリーム解析部により作成された前記パーシャルトランスポートストリーム、及び前記ストリーム解析部により分離された前記メッセージ情報を他の機器に送信する送信手段と
を備えることを特徴とする放送受信装置。
【請求項２】
請求項１記載の放送受信装置において、
前記ストリーム解析部により分離された前記メッセージ情報を、所定のフォーマットに変換するメッセージ情報変換部
をさらに備え、
前記送信手段は、前記ストリーム解析部により作成された前記パーシャルトランスポートストリーム、及び前記メッセージ情報変換部により前記所定のフォーマットに変換された前記メッセージ情報を前記他の機器に送信すること
を特徴とする放送受信装置。
【請求項３】
前記メッセージ情報変換部で前記メッセージ情報が変換される前記所定のフォーマットは、ＵＰｎＰでサポートされるＸＭＬフォーマットであること
を特徴とする請求項２記載の放送受信装置。
【請求項４】
前記メッセージ情報は、前記他の機器が表示するメッセージ、前記メッセージを表示する時間、前記メッセージを非表示とする時間、及び前記メッセージの表示回数に関する情報を含むこと
を特徴とする請求項１記載の放送受信装置。
【請求項５】
請求項１記載の放送受信装置において、
前記メッセージ情報を、前記他の機器が表示するメッセージ、前記メッセージを表示或いは非表示とする前記パーシャルトランスポートストリームによる映像のフレーム若しくはＧＯＰに関する情報を含むものに変換するストリーム関連付け手段
をさらに備え、
前記送信手段は、前記ストリーム解析部により作成された前記パーシャルトランスポートストリーム、及び前記ストリーム関連付け手段により変換された前記メッセージ情報を前記他の機器に送信すること
を特徴とする放送受信装置。
【請求項６】
請求項１記載の放送受信装置において、
前記送信手段からの前記パーシャルトランスポートストリームの送信開始後の経過時間を計測する計時手段
をさらに備え、
前記送信手段は、前記計時手段により計測される前記経過時間に基づいて、前記メッセージ情報によるメッセージを表示させるタイミングを前記他の機器に通知するためのタイミング情報を送信すること
を特徴とする放送受信装置。
【請求項７】
前記タイミング情報は、ＵＰｎＰでサポートされるＸＭＬフォーマットで記載されていること
を特徴とする請求項６記載の放送受信装置。
【請求項８】
デジタル放送のトランスポートストリームが変換されたパーシャルトランスポートストリーム、及び前記トランスポートストリームから分離されたメッセージ情報を放送受信装置から受信する受信手段と、
前記受信手段により受信された前記パーシャルトランスポートストリームに基づく映像、及び前記メッセージ情報に基づくメッセージを表示画面に表示する表示手段と
を備えることを特徴とする映像機器装置。
【請求項９】
前記受信手段は、前記放送受信装置でＵＰｎＰでサポートされるＸＭＬフォーマットに変換された前記メッセージ情報を受信すること
を特徴とする請求項８記載の映像機器装置。
【請求項１０】
請求項８記載の映像機器装置において、
前記受信手段による前記パーシャルトランスポートストリーム受信開始後の経過時間を計測する計時手段
をさらに備え、
前記メッセージ情報は、前記表示手段が表示するメッセージ、前記メッセージを表示する時間、前記メッセージを非表示とする時間、及び前記メッセージの表示回数に関する情報を含み、
前記表示手段は、前記メッセージ情報及び前記計時手段が計測する前記経過時間に基づき、前記メッセージの表示及び非表示を切り換えること
を特徴とする映像機器装置。
【請求項１１】
前記メッセージ情報は、前記表示手段が表示するメッセージ、及び前記メッセージを表示及び非表示とする前記パーシャルトランスポートによる映像のフレーム若しくはＧＯＰに関する情報を含み、
前記表示手段は、前記メッセージ情報に基づき、前記メッセージの表示及び非表示を切り換えること
を特徴とする請求項８記載の映像機器装置。
【請求項１２】
前記受信手段は、前記メッセージ情報に基づくメッセージを前記表示画面に表示させるタイミングを通知するためのタイミング情報を前記放送受信装置から受信し、
前記表示手段は、前記受信手段から前記タイミング情報を受信した際に、前記メッセージを前記表示画面に表示すること
を特徴とする請求項８記載の映像機器装置。
【請求項１３】
前記タイミング情報は、ＵＰｎＰでサポートされるＸＭＬフォーマットで記載されていること
を特徴とする請求項１２記載の映像機器装置。
【発明の詳細な説明】
【技術分野】
【０００１】
本発明は、デジタル放送を受信する放送受信装置及びこの放送受信装置から映像データを受信する映像機器装置及びこの映像機器装置に関する。
【背景技術】
【０００２】
近年、ＢＳデジタル放送や地上波デジタル放送が開始し、デジタル放送を受信するデジタル放送受信装置が普及しつつある。デジタル放送では、ＭＰＥＧ２（Ｍｏｖｉｎｇ  Ｐｉｃｔｕｒｅ  Ｅｘｐｅｒｔｓ  Ｇｒｏｕｐ２）方式に基づき複数の映像データと複数の音声データとが符号化され、放送局からは、符号化結果である複数の映像ストリームと複数の音声ストリームとが時分割多重して得られたトランスポートストリーム（Ｔｒａｎｓｐｏｒｔ  Ｓｔｒｅａｍ、以下ＴＳと呼ぶ）が放送される。以下、デジタル放送を受信して得られるＴＳをフルＴＳと呼ぶ。
【０００３】
フルＴＳには、映像ストリームや音声ストリーム以外にも、自動表示メッセージを多重することができる。自動表示メッセージの詳細に関しては、例えば非特許文献１に記載されている。自動表示メッセージは、映像ストリームによる映像と合成されて表示画面に表示される（例えば、特許文献１参照）。
【０００４】
デジタル放送受信装置は、フルＴＳを受信し、このフルＴＳに含まれる複数の映像ストリームと複数の音声ストリームの中から所定のＴＳパケットを抽出し、ＩＥＥＥ１３９４規格に従った通信が可能となる形式を有するパーシャルＴＳ（Ｐａｒｔｉａｌ  Ｔｒａｎｓｐｏｒｔ  Ｓｔｒｅａｍ、以下パーシャルＴＳと呼ぶ）を作成して出力する。
【特許文献１】特開２００３−２８３９９９号公報
【非特許文献１】「ＢＳ／広帯域ＣＳデジタル放送運用規定技術資料（ＡＲＩＢ  ＴＲ−Ｂ１５）」（社団法人  電波産業会）
【発明の開示】
【発明が解決しようとする課題】
【０００５】
しかしながら、ＩＥＥＥ１３９４規格によれば、パーシャルＴＳには、自動表示メッセージに関する情報であるＥＭＭ（Ｅｎｔｉｔｌｅｍｅｎｔ  Ｍａｎａｇｅｍｅｎｔ  Ｍｅｓｓａｇｅ）は含まれない。即ち、デジタル放送受信装置がパーシャルＴＳとして外部機器に出力する場合には、当該外部機器では、自動表示メッセージを表示することができない。
【０００６】
特許文献１記載の手法は、映像ストリームによる映像と自動表示メッセージを合成してモニタに出力するが、これは自動表示メッセージが重畳された映像データを出力するものであり、パーシャルＴＳとしての出力について考慮されたものではない。また、自動表示メッセージが重畳された映像データを再度パーシャルＴＳとして出力することも考えられるが、この場合には、一度パーシャルＴＳをデコードした上で自動表示メッセージを合成し、再度パーシャルＴＳにエンコードすることとなるので、画質が劣化する恐れがある。
【０００７】
そこで本発明は、放送受信装置と映像機器装置とからなる映像システムにおいて、放送受信装置がフルＴＳを変換したパーシャルＴＳを映像機器装置に出力すると共に、当該映像機器装置に自動表示メッセージを表示させることのできる映像システムを提供することを目的とする。
【課題を解決するための手段】
【０００８】
上記目的を達成するために、本発明の放送受信装置は、デジタル放送より、所望のチャネルのトランスポートストリームを受信する受信手段と、前記受信手段により受信された前記トランスポートストリームからパーシャルトランスポートストリームを作成すると共に、前記トランスポートストリームからメッセージ情報を分離するストリーム解析部と、前記ストリーム解析部により作成された前記パーシャルトランスポートストリーム、及び前記ストリーム解析部により分離された前記メッセージ情報を他の機器に送信する送信手段とを備えることを特徴とする。
【０００９】
本発明の映像機器装置は、デジタル放送のトランスポートストリームが変換されたパーシャルトランスポートストリーム、及び前記トランスポートストリームから分離されたメッセージ情報を放送受信装置から受信する受信手段と、前記受信手段により受信された前記パーシャルトランスポートストリームに基づく映像、及び前記メッセージ情報に基づくメッセージを表示画面に表示する表示手段とを備えることを特徴とする。
【発明の効果】
【００１０】
本発明によれば、放送受信装置と映像機器装置とからなる映像システムにおいて、放送受信装置がフルＴＳを変換したパーシャルＴＳを映像機器装置に出力すると共に、当該映像機器装置に自動表示メッセージを表示させることのできる映像システムを提供することができる。
【発明を実施するための最良の形態】
【００１１】
以下、本発明の放送受信装置及び映像機器装置について、図面を参照しながら説明する。
【実施例１】
【００１２】
図１は、本発明の実施例１にかかる放送受信装置、及び本発明の映像機器装置の実施例１であるＴＶ及びＰＣ（Ｐｅｒｓｏｎａｌ  Ｃｏｍｐｕｔｅｒ）が使用される映像システムの構成例を示す図である。ＴＶ２（映像機器装置、他の機器）及びＰＣ３（映像機器装置、他の機器）は、放送受信装置１に接続される。この接続方法としては、例えば有線若しくは無線によるＬＡＮ（Ｌｏｃａｌ  Ａｒｅａ  Ｎｅｔｗｏｒｋ）や、ＩＥＥＥ１３９４等である事が考えられるが、以下の説明ではＬＡＮを用いることとする。ＴＶ２及びＰＣ３は、其々同様の構成を有し、また同様の動作をするので、以下の説明では放送受信装置１とＴＶ２について説明を行う。
【００１３】
放送受信装置１は、デジタル放送によるフルＴＳを受信し、これをパーシャルＴＳに変換してＴＶ２に送信する。また、自動表示メッセージに関するメッセージ情報をパーシャルＴＳとは別にＴＶ２に送信し、ＴＶ２に自動表示メッセージを表示させることができる。
【００１４】
図２は、自動表示メッセージを表示した表示画面の例である。この例では、「サービスセンターにご連絡ください」という自動表示メッセージ２ａが、画面の左下に表示されている。
【００１５】
図３は、放送受信装置１の構成を示す図である。放送受信装置１は、チューナ部１０１（受信手段）と、チューナ部１０１から出力されたフルＴＳをパーシャルＴＳに変換すると共にメッセージ情報であるＥＭＭ情報を分離するストリーム解析部１０２と、ＥＭＭ情報からＵＰｎＰ表現のメッセージ情報を作成するメッセージ情報生成部１０３（メッセージ情報変換部）と、ＴＶ２と通信する通信部１０４（送信手段）と、ＴＶ２からの要求に基づいてチューナ部１０１から出力するストリームのチャネルを選択するストリーム選択部とを備える。
【００１６】
チューナ部１０１は、放送局からデジタル放送を受信し、ストリーム選択部１０５により選択されたチャネルのフルＴＳを出力する。より具体的には、ＲＦ信号をベースバンド信号に周波数変換しデジタル復調及び復号処理を行った上で、このデジタル信号のストリームから所望のフルＴＳを抜き出す。映像データや音声データのみならず、自動表示メッセージに関する情報もＥＭＭという形式で送付される。ＥＭＭ情報については、後述する。
【００１７】
ストリーム解析部１０２は、チューナ部１０１からのフルＴＳを受け取り、ここから所定のＴＳパケットのみを抜き出してパーシャルＴＳに変換する機能を有する。作成したパーシャルＴＳは、通信部１０４に渡され、通信部１０４からＴＶ２に送信される。またストリーム解析部１０２は、自動表示メッセージに関するメッセージ情報であるＥＭＭ情報を分離し、これをメッセージ情報生成部１０３に渡す。
【００１８】
メッセージ情報生成部１０３は、ＥＭＭ情報をメッセージ情報生成部１０３から受け取り、これを元にＵＰｎＰ（Ｕｎｉｖｅｒｓａｌ  Ｐｌｕｇ  ａｎｄ  Ｐｌａｙ）でサポートされるＸＭＬ（Ｅｘｔｅｎｓｉｂｌｅ  Ｍａｒｋｕｐ  Ｌａｎｇｕａｇｅ）形式のメッセージ情報を作成する。ここで作成されるメッセージ情報については、後に詳述する。
【００１９】
通信部１０４は、ストリーム解析部１０２で作成されたパーシャルＴＳ及びメッセージ情報生成部１０３で作成されたメッセージ情報を受け取り、これをＴＶ２に送信する機能を有する。また、ＴＶ２からストリームの取得要求を受け取り、ストリーム選択部１０５に出力する。ストリーム選択部は、この要求に応じたフルＴＳをチューナ部１０１に対して出力させる。
【００２０】
図４は、ＴＶ２の構成を示す図である。ＴＶ２は、放送受信装置１と通信する通信部２０１（受信手段）と、通信部２０１で受信したパーシャルＴＳをデコードして映像データに変換するストリーム処理部と、通信部２０１で受信したメッセージ情報を処理するメッセージ情報処理部２０３と、パーシャルＴＳ受信開始後の経過時間を測定するタイマ２０４（計時手段）と、自動表示メッセージを表示するメッセージ表示部２０５と、自動表示メッセージが合成された映像データを作成する映像合成部２０６（表示手段）と、表示画面２０７と、放送受信装置１へ送信するストリーム取得要求を作成するストリーム要求部２０８とから構成される。
【００２１】
通信部２０１は、先述の通り放送受信装置１の通信部１０４と通信するための通信インタフェースである。通信部２０１は、放送受信装置１からパーシャルＴＳ及びメッセージ情報を受信すると共に、受信を希望するチャネルのパーシャルＴＳの取得要求を送信する。
【００２２】
ストリーム処理部２０２は、通信部２０１で受信したパーシャルＴＳをデコードし、映像データの形に変換して映像合成部２０６へ渡す。また、パーシャルＴＳの受信を開始したことをタイマ２０４に通知し、タイマ２０４で受信後の経過時間の測定を開始させる。
【００２３】
メッセージ情報処理部２０３は、通信部２０１で受信した、ＵＰｎＰ表現で記載されたメッセージ情報を処理する。メッセージ情報に記載される情報のうち、自動表示メッセージのメッセージコード及び表示位置に関する情報をメッセージ表示部２０５に渡し、自動表示メッセージを表示するタイミングに関する情報についてはタイマ２０４に渡す。
【００２４】
タイマ２０４は、ストリーム処理部２０２から、パーシャルＴＳ受信開始の通知を受け、受信開始後の経過時間を測定する。また、メッセージ情報処理部２０３から、自動表示メッセージを表示する表示タイミングに関する情報を受け取り、これと受信開始後の経過時間を元に、自動表示メッセージを表示するタイミングをメッセージ表示部２０５に通知する。
【００２５】
メッセージ表示部２０５は、メッセージ情報処理部２０３から、表示する自動表示メッセージに関するデータを受け取り、表示画面２０７に表示する自動表示メッセージを作成し、タイマ２０４から受け取るタイミングでこの自動表示メッセージを映像合成部２０６に出力する。
【００２６】
映像合成部２０６は、ストリーム処理部２０２から出力される映像データと、メッセージ表示部２０５から出力される自動表示メッセージを合成し、表示画面２０７に映像信号を出力する。
【００２７】
図５は、放送受信装置１がＴＶ２へチャネル選局に必要な情報を提示する際に用いるチューナ表現を模式的に示す図である。「Ｔｕｎｅｒ  Ｃｏｎｔａｉｎｅｒ」というチューナ部１０１を示す（図５の例では、「Ｔｕｎｅｒ１」というタイトル属性で表現されている）要素の中に、各チャネルを表す「Ｃｈａｎｎｅｌ  Ｉｔｅｍ」という要素が並ぶ構成となる。図５の例では、各Ｃｈａｎｎｅｌ  Ｉｔｅｍ要素には、チャネル番号とチャネル名のほか、現在放送中の番組タイトルが示されている。図５の例では、アイテムは３つ設けられ、１番目のアイテムはタイトルが「ニュース」、チャネル番号が「１」、チャネル名は「ＮＮＮテレビ」であり、２番目のアイテムはタイトルが「野球」、チャネル番号が「５」、チャネル名が「ＴＴＴテレビ」であり、３番目のアイテムはタイトルが「バラエティ」、チャネル番号が「９」、チャネル名が「ＦＦＦテレビ」である。
【００２８】
図６は、図５に示したチューナ表現の具体的な実装例である。チューナ表現はＵＰｎＰで定められたＸＭＬの書式に従って表現される。図６の例では、１つのｃｏｎｔａｉｎｅｒ要素（図５の例ではＴｕｎｅｒ  Ｃｏｎｔａｉｎｅｒ要素に対応）及び３つのｉｔｅｍ要素（図５の例ではＣｈａｎｎｅｌ  Ｉｔｅｍ要素に対応）が並列に設けられる。この４つの其々の要素にｉｄ属性が置かれ、各要素の識別に利用される。図６の例では、ｃｏｎｔａｉｎｅｒ要素のｉｄ属性に「Ｔｕｎｅｒ１」が、３つあるｉｔｅｍ要素のｉｄ属性にそれぞれ「Ｔｕｎｅｒ１／ＮＮＮ」、「Ｔｕｎｅｒ１／ＴＴＴ」、「Ｔｕｎｅｒ１／ＦＦＦ」が割り当てられている。
【００２９】
また、各ｉｔｅｍ要素には、ｐａｒｅｎｔＩＤ属性が設けられ、コンテナとアイテムの階層関係が表現される。この例では、各ｉｔｅｍ要素のｐａｒｅｎｔＩＤ属性には全て「Ｔｕｎｅｒ１」と記載されているのでいるので、Ｔｕｎｅｒ１コンテナの下に各アイテムがあることがわかる。
【００３０】
コンテナ及びアイテムは、何らかのクラスに属し、どのクラスに属すかでサポートする機能が異なる。このクラスについては、各ｃｏｎｔａｉｎｅｒ要素及びｉｔｅｍ要素の子要素として設けられるｕｐｎｐ：ｃｌａｓｓ要素に記載される。図６の例では、ｃｏｎｔａｉｎｅｒ要素の子要素であるｕｐｎｐ：ｃｌａｓｓ要素には「ｏｂｊｅｃｔ．ｃｏｎｔａｉｎｅｒ」と、ｉｔｅｍ要素の子要素であるｕｐｎｐ：ｃｌａｓｓ要素には其々「ｏｂｊｅｃｔ．ｉｔｅｍ．ｖｉｄｅｏＩｔｅｍ．ｖｉｄｅｏＢｒｏａｄｃａｓｔ」と記載されている。
【００３１】
また各アイテムにはストリーム出力のためのリソースが付与されており、ここにアクセスすることでＴＶ２はチューナ部１０１での選局及びストリームの取得が可能となる。このリソースは、ｉｔｅｍ要素の子要素であるｒｅｓ要素として記載され、図６の例では、其々「ｈｔｔｐ：／／１９２．１６８．０．１／Ｔｕｎｅｒ１／ＮＮＮ．ｍｐｇ」、「ｈｔｔｐ：／／１９２．１６８．０．１／Ｔｕｎｅｒ１／ＴＴＴ．ｍｐｇ」、「ｈｔｔｐ：／／１９２．１６８．０．１／Ｔｕｎｅｒ１／ＦＦＦ．ｍｐｇ」と記載されている。又、ｒｅｓ要素は、各ストリームを取得する際のプロトコルに関する情報もｐｒｏｔｏｃｏｌＩｎｆｏ属性として表され、図７の例ではこの属性にそれぞれ「ｈｔｔｐ−ｇｅｔ：＊：ｖｉｄｅｏ／ｍｐｇｅ：＊」と記載されている。
【００３２】
また、各アイテムの番組タイトル、チャネル番号、チャネル名についても、其々ｉｔｅｍ要素の子要素であるｄｃ：ｔｉｔｌｅ要素、ｕｐｎｐ：ｃｈａｎｎｅｌＮｒ要素、ｕｐｎｐ：ｃｈａｎｎｅｌＮａｍｅ要素として記載される。
【００３３】
図７は、チューナ部１０１で受信され、ストリーム解析部１０２で分離される自動表示メッセージに関するメッセージ情報であるＥＭＭ情報の具体例を示す図である。ＥＭＭ情報には、ユーザに提示されるメッセージコード本体（項目「ｍｅｓｓａｇｅ＿ａｒｅａ」に記載される）や放送事業体識別番号（項目「ｃａ＿ｂｒｏａｄｃａｓｔｅｒ＿ｇｒｏｕｐ＿ＩＤ」に記載される）の他、自動表示消去種別（項目「ｄｅｌｅｃｔｉｏｎｓｔａｔｕｓ」に記載される）、自動表示継続時間（項目「ｄｉｓｐｌａｙｉｎｇ＿ｄｕｒａｔｉｏｎ１」、「ｄｉｓｐｌａｙｉｎｇ＿ｄｕｒａｔｉｏｎ２」、「ｄｉｓｐｌａｙｉｎｇ＿ｄｕｒａｔｉｏｎ３」に記載される）、自動表示回数（項目「ｄｉｓｐｌａｙｉｎｇ＿ｃｙｃｌｅ」に記載される）などに関する情報等が含まれている。
【００３４】
自動表示消去種別は、０ｘ００が割り当てられれば、ユーザの操作により消去可能であり、０ｘ０１が割り当てられればユーザの操作では消去できない、０ｘ０２では、表示されている自動表示メッセージを強制的に消去する。
【００３５】
自動表示継続時間について、図８を参照しながら説明する。自動表示継続時間１、自動表示継続時間２、自動表示継続時間３は、自動表示メッセージの表示及び非表示を切り換えるタイミングについて記載するものである。自動表示継続時間１、自動表示継続時間２、自動表示継続時間３には、それぞれ時間Ｔ１、Ｔ２、Ｔ３が割り当てられているものとすると、図８に示す通り、ストリーム受信開始後Ｔ１の間自動表示メッセージを非表示とし、その後Ｔ２の間自動表示メッセージを表示し、さらにその後Ｔ３の間自動表示メッセージを非表示とする。この３つの期間Ｔ１乃至Ｔ３の組み合わせを１ターンとして、自動表示回数で記載される回数だけ自動表示メッセージを表示する。
【００３６】
図９は、ＥＭＭ情報による自動表示メッセージの情報をメッセージ情報生成部で変換したＵＰｎＰ表現のメッセージ情報の例を示す図である。ここでは、自動表示メッセージはｆｏｏ：ａｕｔｏＭｅｓｓａｇｅ要素として記載され、この下ＥＭＭ情報のｍｅｓｓａｇｅ＿ａｒｅａ項目に記載される自動表示メッセージのメッセージコード（図９の例では、「サービスセンターにご連絡ください（０１２０−ＸＸＸ−ＸＸＸ）。」）が記載される。
【００３７】
また、ｆｏｏ：ａｕｔｏＭｅｓｓａｇｅ要素は、自動表示消去種別に関する情報を記載するｓｔａｔｕｓ属性、自動表示回数に関する情報を記載するｃｙｃｌｅ属性、自動表示継続時間１、自動表示継続時間２、自動表示継続時間３に関する情報が記載されるｄｕｒａｔｉｏｎ属性を有する。ｓｔａｔｕｓ属性は、０であればユーザの操作により消去可能、１であればユーザの操作では消去できない、２であれば自動表示メッセージの消去となる。またｄｕｒａｔｉｏｎ属性は、先述のＴ１、Ｔ２、Ｔ３の値が其々「，」で区切って記載される。
【００３８】
またこの例では、ｐｏｓｉｔｉｏｎ属性により、自動表示メッセージの表示位置を設定することもできる。例えばｐｏｓｉｔｉｏｎ属性に「２」が割り当てられていれば、左下に自動表示メッセージを表示する等の方法により使用される。
【００３９】
次に、自動表示メッセージに関する処理について図１０乃至図１２を参照しながら説明する。図１０は、自動表示メッセージに関するメッセージ情報の送信に係る放送受信装置１の処理の流れを示すフローチャートである。
【００４０】
まず放送受信装置１は、通信部１０４でＴＶ２からストリームの取得要求を受信する（Ｓ９０１）。この要求には、受信を望むチャネル番号等に関する情報が含まれる。放送受信装置１は、ストリームの取得要求を受信すると、チューナ部１０１で受信するチャネルを切り換えると共に、チューナ部１０１で放送局から自動表示メッセージに関するメッセージ情報を受信する（Ｓ９０２）。これは先述の通り、図７に示したＥＭＭの形式で放送局から送信される。さらに、放送受信装置１は、このメッセージ情報をストリーム解析部１０２で映像データ及び音声データ等から分離し、メッセージ情報生成部１０３でＵＰｎＰ表現に変換される（Ｓ９０３）。このＵＰｎＰ表現は、先述の通り、例えば図９のような形式で記載されるものである。
【００４１】
さらに、放送受信装置１は、通信部１０４からメッセージ情報が変化した旨の通知をＴＶ２に対して送信する（Ｓ９０４）。通信部１０４でＴＶ２からの応答であるメッセージ情報取得要求を受信すれば（Ｓ９０５）、放送受信装置１はメッセージ情報生成部１０３でＵＰｎＰ表現に変換されたメッセージ情報をＴＶ２に向けて送信する（Ｓ９０６）。
【００４２】
図１１は、ストリーム受信後の経過時間測定に係るＴＶ２の処理の流れを示すフローチャートである。
ＴＶ２は、例えばリモコンによるユーザのチャネル選択等に応じて、ストリーム要求部２０８でストリームの取得要求を作成し、これを通信部２０１から放送受信装置１へ送信する（Ｓ１００１）。通信部２０１で取得要求に応じた、放送受信装置１からのストリームの受信を開始すれば（Ｓ１００２）、ＴＶ２はこれをストリーム処理部２０２で検出してタイマ２０４に通知し、タイマ２０４は経過時間の測定を開始する（Ｓ１００３）。
【００４３】
図１２は、メッセージ情報の受信及び自動表示メッセージの表示、非表示にかかるＴＶ２の処理の流れを示すフローチャートである。
ＴＶ２は、図１０のＳ９０４で放送受信装置１から送信されるメッセージ情報の変化通知の通信部２０１での受信を受けて、メッセージ情報の取得要求を通信部２０１から放送受信装置１へ送信し（Ｓ１１０１）、これに応じて放送受信装置１から送信されるメッセージ情報を通信部２０１で受信する（Ｓ１１０２）。通信部２０１で受信されたメッセージ情報は、メッセージ情報処理部２０３へ渡され、自動表示メッセージのメッセージコードや表示位置に関する情報はメッセージ表示部２０５に渡され、表示タイミングに関する情報はタイマ２０４に渡される。
【００４４】
タイマ２０４は、図１１のＳ１００３以降計測している、ストリーム受信開始後の経過時間と、図９のメッセージ情報のｄｕｒａｔｉｏｎ属性及びｃｙｃｌｅ属性により得られる表示若しくは非表示時間とを比較し（Ｓ１１０３）、表示若しくは非表示時間でなければ（Ｓ１１０３のＮｏ）表示、非表示時間が来るのを待つ。表示、非表示時間であれば（Ｓ１１０３のＹｅｓ）、タイマ２０４はこれをメッセージ表示部２０５へ通知し、メッセージ表示部２０５から映像合成部２０６への自動表示メッセージの出力若しくは非出力を切り換える（Ｓ１１０４）。即ち、表示画面２０７での自動表示メッセージの表示若しくは非表示状態を変更する。この後、ＴＶ２はメッセージ情報のｃｙｃｌｅ属性で得られる表示回数の表示を終えたか否かを判断し（Ｓ１１０５）、まだ指定回数の表示を終えていなければ、Ｓ１１０３の処理へ戻る。
【００４５】
図１３乃至図１５は、ＵＰｎＰ表現に係るメッセージ情報の変形例である。図１３の例では、自動表示メッセージに関する情報を示すｆｏｏ：ａｕｔｏＭｅｓｓａｇｅ要素が、ｉｔｅｍ要素の子要素として表現されている。このように表現すると、各アイテムに対応する自動表示メッセージを記載することができる。図１３の例では、ｉｄ属性値として「Ｔｕｎｅｒ１／ＮＮＮ」を持つアイテムには「サービスセンターにご連絡ください（０１２０−ＸＸＸ−ＸＸＸ）。」という自動表示メッセージが、ｉｄ属性値として「Ｔｕｎｅｒ１／ＦＦＦ」を持つアイテムには「無料放送中です。」という自動表示メッセージが記載されている。このように、図１３の表現方法を用いれば、複数のアイテムに対応する自動表示メッセージを送信することが可能となる。
【００４６】
図１４は、図１３と同様の情報を、別の表現で記載した場合の例である。対応するアイテムの図６に示したｉｔｅｍ要素の持つｉｄ属性が、自動表示メッセージに関する情報を記載するｆｏｏ：ａｕｔｏＭｅｓｓａｇｅ要素のｃｈａｎｎｅｌＩＤ属性として記載されている。
【００４７】
図１５は、自動表示メッセージを、各ストリームに対して対応付けたものである。例えば、放送受信装置１とＴＶ２とのストリームにストリーム番号「０」が、放送受信装置１とＰＣ３とのストリームにストリーム番号「１」が割り当てられている場合に、自動表示メッセージに関する情報を示すｆｏｏ：ａｕｔｏＭｅｓｓａｇｅ要素に、ｃｏｎｎｅｃｔｉｏｎＩＤ属性を設けてその属性値に各ストリーム番号を入れる。ＴＶ２は、ｃｏｎｎｅｃｔｉｏｎＩＤ属性の属性値が「０」の要素のみを読み取ればよい。これにより、ひとつのメッセージ情報で、複数の機器に対して別の自動表示メッセージを表示させることが可能となる。
【００４８】
以上説明したように、本実施例によれば、放送受信装置１のストリーム解析部１０２でフルＴＳから自動表示メッセージに関するメッセージ情報であるＥＭＭ情報を分離し、映像、音声ストリームであるパーシャルＴＳとは別にメッセージ情報を送信し、ＴＶ２ではこのメッセージ情報に基づいて自動表示メッセージを表示させることができる。また、メッセージ情報はネットワーク機器が相互に機能を提供し合うための技術使用であり、広く普及したＵＰｎＰ表現にメッセージ情報生成部１０３で変換されるので、汎用性が高い。
【００４９】
本実施例では、ＵＰｎＰに変換後のメッセージ情報でも、自動表示メッセージを表示若しくは非表示とするタイミング、自動表示メッセージの表示回数等に関する情報を含むので、放送局から送信されたＥＭＭ情報で記載された自動表示メッセージの表示方法と同様の表示をＴＶ２で行うことができる。
【００５０】
本実施例では、ＴＶ２でのストリーム受信開始後の経過時間を元に自動表示メッセージの表示、非表示を切り換えているので、放送受信装置１から表示若しくは非表示のタイミングを通知する場合と比して、伝送遅延等により、自動表示メッセージの表示タイミングがずれることを抑制することができる。また、放送受信装置１で自動表示メッセージの表示タイミングをフレームやＧＯＰと関連付ける場合と比して、ストリームを監視して各ストリームデータに番号を振るような手間が不要であるので、比較的簡易な構成で実装することが可能である。
【実施例２】
【００５１】
実施例２は、自動表示メッセージの表示タイミングを、時間ではなく、映像ストリームのフレーム若しくはＧＯＰ（Ｇｒｏｕｐ  ｏｆ  Ｐｉｃｔｕｒｅ）に関連付けるものである。以下の説明では、自動表示メッセージの表示タイミングをＧＯＰに関連付けるものとする。実施例２に係る放送受信装置１及びＴＶ２が使用される映像システムは、図１と同様となるので説明を省略する。
【００５２】
図１６及び図１７は、其々本発明の実施例２に係る放送受信装置１及びＴＶ２の構成を示す図である。尚、これらの図において、実施例１の放送受信装置１及びＴＶ２の構成要素と同様の役割を果たすものは、実施例１と同一の番号を割り当てている。チューナ部１０１、ストリーム解析部１０２、通信部１０４、ストリーム選択部１０５の動作については、実施例１とほぼ同様であるのでここでは説明を省略する。
【００５３】
ストリーム解析部１０２は、実施例１と同様に、チューナ部１０１からのフルＴＳを受け取り、パーシャルＴＳに変換して通信部１０４に渡すと共に、自動表示メッセージに関するメッセージ情報であるＥＭＭ情報をフルＴＳから分離し、これをメッセージ情報生成部１０３に渡す。またストリーム解析部１０２は、ストリーム関連付け部１０６の制御の下、受信したストリームの各ＧＯＰに対してＩＤを割り当てる。
【００５４】
本実施例の放送受信装置１は、ストリーム関連付け部１０６（ストリーム関連付け手段）を新たに有する。ストリーム関連付け部１０６は、ストリーム解析部１０２を監視及び制御し、受信したストリームのＧＯＰに対してＩＤを割り当てると共に、自動表示メッセージの表示若しくは非表示のタイミングを各ＧＯＰに対応付けたものをメッセージ情報に記載する。
【００５５】
図１８は、自動表示メッセージの表示、非表示のタイミングとＧＯＰとの対応付けについて説明するための図である。実施例１で説明したように、ＥＭＭ情報では、自動表示メッセージの表示、非表示については時間を元に記載される。自動表示メッセージを非表示とする時間Ｔ１に再生される２つのＧＯＰに対し、ストリーム関連付け部１０６の制御によりストリーム解析部１０２で割り当てるＩＤが其々Ｓ１及びＳ２、自動表示メッセージを表示する時間Ｔ２で再生される２つのＧＯＰに対して割り当てるＩＤがそれぞれＳ３及びＳ４、自動表示メッセージを非表示とする時間Ｔ３で再生されるＧＯＰに対して割り当てるＩＤがそれぞれＳ５及びＳ６であるとすると、この表示、非表示状態を切り換えるＧＯＰのＩＤをストリーム関連付け部１０６はメッセージ情報に記載する。
【００５６】
図１９は、ストリーム関連付け部１０６から通信部１０４に出力されるＵＰｎＰ表現で記載されるメッセージ情報の例である。尚ここで、メッセージ情報生成部１０３から出力されるのは、実施例１の図９に示したメッセージ情報と同一のものとする。図９のメッセージ情報において、自動表示メッセージの表示、非表示タイミングに関する情報はｄｕｒａｔｉｏｎ属性、ｃｙｃｌｅ属性として記載されているが、ストリーム関連付け部１０６から出力される図１９のメッセージ情報ではこれらの属性を削除すると共に、ｆｏｏ：ａｕｔｏＭｅｓｓａｇｅ要素の属性にｓｔｒｅａｍＬａｂｅｌ属性を作成し、表示、非表示タイミングを切り換えるＧＯＰに割り当てられたＩＤである「Ｓ３、Ｓ５、Ｓ９、Ｓ１１、Ｓ１５、Ｓ１７」を属性値として割り当てる。
【００５７】
次に、ＴＶ２の構成について説明する。通信部２０１、ストリーム処理部２０２、メッセージ情報処理部２０３、メッセージ表示部２０５、映像合成部２０６、表示画面２０７、ストリーム要求部２０８の動作は実施例１とほぼ同様であるので、説明を省略する。
【００５８】
実施例１のＴＶ２は、タイマ２０４を有していたが、本実施例ではタイマ２０４を有していない。その代わりに、ストリーム処理部２０２で処理されるストリームのＧＯＰを監視するストリーム監視部２０９を持つ。
【００５９】
メッセージ情報処理部２０３は、メッセージ情報のうち、表示、非表示を切り換えるＧＯＰのＩＤに関する情報をストリーム監視部２０９に送る。ストリーム監視部２０９は、ストリーム処理部２０２で処理されるストリームのＧＯＰを監視し、このＩＤとメッセージ情報処理部２０３から受け取った表示、非表示状態を切り換えるＩＤとが一致した場合に、これをメッセージ表示部２０５に通知する。メッセージ表示部２０５は、ストリーム監視部２０９からの通知を受けて、自動表示メッセージを映像合成部２０６に出力する。
【００６０】
次に、自動表示メッセージに関する処理の流れについて図２０及び図２１を参照しながら説明する。図２０は、自動表示メッセージに関するメッセージ情報の送信に係る放送受信装置１の処理の流れを示すフローチャートである。
【００６１】
まず放送受信装置１は、通信部１０４でＴＶ２からストリームの取得要求を受信する（Ｓ１９０１）。この要求には、受信を望むチャネル番号に関する番号が含まれる。放送受信装置１は、ストリームの取得要求を受信すると、チューナ部１０１で受信するチャネルを切り換えると共に、チューナ部１０１で放送局から自動表示メッセージに関するメッセージ情報を受信する（Ｓ１９０２）。これは実施例１でも記載したとおり、ＥＭＭの形式で放送局から送信される。さらに、放送受信装置１は、このメッセージ情報をストリーム解析部１０２で映像データ及び音声データ等から分離し、メッセージ情報生成部１０３でＵＰｎＰ表現に変換される（Ｓ１９０３）。ここで出力されるメッセージ情報は、実施例１で示した図９のような形式で記載されるものである。
【００６２】
さらに放送受信装置１は、ストリーム関連付け部１０６で例えば各ＧＯＰの再生時間と、メッセージ情報のｄｕｒａｔｉｏｎ要素、ｃｙｃｌｅ要素に基づいて、メッセージの表示、非表示タイミングを各ＧＯＰのＩＤに割り当て、これを元にメッセージ情報を書き換える（Ｓ１９０４）。これは先述の通り、例えばｓｔｒｅａｍＬａｂｅｌ要素を設けて表示状態の変化するＧＯＰに割り当てるＩＤを記載すると共に、ｄｕｒａｔｉｏｎ、ｃｙｃｌｅの各要素を削除するものである。尚、ストリーム関連付け部１０６は、ここで割り当てたＩＤと矛盾が生じないように、ストリーム解析部１０２で処理されるストリームに対して各ＧＯＰにＩＤを割り当てる。
【００６３】
さらに、放送受信装置１は、通信部１０４からメッセージ情報が変化した旨の通知をＴＶ２に対して送信する（Ｓ１９０５）。通信部１０４でＴＶ２からの応答であるメッセージ情報取得要求を受信すれば（Ｓ１９０６）、放送受信装置１はストリーム関連付け部から出力されるＵＰｎＰ表現のメッセージ情報をＴＶ２に向けて送信する（Ｓ１９０７）。
【００６４】
図２１は、メッセージ情報の受信及び自動表示メッセージの表示、非表示にかかるＴＶ２の処理の流れを示すフローチャートである。
ＴＶ２は、図２０のＳ１９０５で放送受信装置１から送信されるメッセージ情報の変化通知の通信部２０１での受信を受けて、メッセージ情報の取得要求を通信部２０１から放送受信装置１へ送信し（Ｓ２００１）、これに応じて放送受信装置１から送信されるメッセージ情報を通信部２０１で受信する（Ｓ２００２）。通信部２０１で受信されたメッセージ情報は、メッセージ情報処理部２０３へ渡され、自動表示メッセージのメッセージコードや表示位置に関する情報がメッセージ表示部２０５へ、表示タイミングに関する情報である表示、非表示を切り換えるＧＯＰのＩＤに関する情報はストリーム監視部２０９に渡される。
【００６５】
ストリーム監視部２０９は、ストリーム処理部２０２を監視し、ストリーム処理部２０２で処理されるストリームのＧＯＰのＩＤが表示状態を変更するＧＯＰのＩＤであるかどうかを判断し（Ｓ２００３）、表示状態を変更するＧＯＰでなければ（Ｓ２００３のＮｏ）、表示状態を変更するＧＯＰとなるのを待つ。表示状態を変化させるＧＯＰであれば（Ｓ２００３のＹｅｓ）、ストリーム監視部２０９はこれをメッセージ表示部２０５へ通知し、メッセージ表示部２０５から映像合成部２０６への自動表示メッセージの出力若しくは非出力を切り換える（Ｓ２００４）即ち、表示画面２０７での自動表示メッセージの表示若しくは非表示状態を切り換える。この後、ｓｔｒｅａｍＬａｂｅｌ属性で記載されていた表示若しくは非表示状態の変更が終了したか否かを判断し（Ｓ２００５）、終了していなければＳ２００３の処理へ戻る。
【００６６】
以上説明したように、本実施例では、放送受信装置１でメッセージの表示／非表示タイミングを動画ストリームのＧＯＰに関連付けてメッセージ情報を作成し、これに基づいてＴＶ２は自動表示メッセージの表示、非表示状態を切り換える。本実施例に拠れば、放送受信装置１及びＴＶ２のいずれにおいても、必ずしもタイマを持たなくとも良い。また、ストリームのＧＯＰに関連付けて処理を行うので、例えば所定時間経過したときに放送受信装置１からタイミングを通知するような場合と比して、コマンドの処理遅延などにより表示タイミングがずれることを抑制することができる。
【００６７】
尚、上記の説明では、ＧＯＰに対して自動表示メッセージの表示状態の切り換えタイミングを関連付けたが、本実施例の冒頭でも述べた通り、表示状態を変化させるフレームに対応付けても良い。
【実施例３】
【００６８】
実施例３は、自動表示メッセージの表示タイミングを、放送受信装置１からＴＶ２に向けて通知するものである。実施例３に係る放送受信装置１及びＴＶ２が使用される映像システムは、図１と同様となるので説明を省略する。
【００６９】
図２２及び図２３は、其々本発明の実施例３に係る放送受信装置１及びＴＶ２の構成を示す図である。尚、これらの図において、実施例１の放送受信装置１及びＴＶ２の構成要素と同様の役割を有するものは、実施例１と同一の番号を割り当てている。チューナ部１０１、ストリーム解析部１０２、通信部１０４、ストリーム選択部１０５の動作については、実施例１とほぼ同様であるのでここでは説明を省略する。
【００７０】
メッセージ情報生成部１０３は、ストリーム解析部１０２から受け取るメッセージ情報をＵＰｎＰ表現に変換し、実施例１の図９に示したような形式のメッセージ情報を作成すると共に、タイマ１０７を起動させてストリーム受信開始後の経過時間を測定させる。尚、本実施例では、自動表示メッセージの表示タイミングは放送受信装置１側から送信するので、ｄｕｒａｔｉｏｎ属性及びｃｙｃｌｅ属性は必ずしも必要ない。
【００７１】
本実施例の放送受信装置１は、タイマ１０７（計時手段）及びメッセージ表示タイミング通知部１０８を新たに有する。タイマ１０７は、ストリーム受信開始後の経過時間を測定すると共に、表示及び非表示タイミングに関する情報、即ち自動表示継続時間１乃至３、自動表示回数に関する情報をメッセージ情報生成部１０３から受け取る。タイマ１０７は、この経過時間及び表示及び非表示タイミングに関する情報に基づき、表示状態を切り換えるタイミングとなれば、これをメッセージ表示タイミング通知部１０８に通知する。メッセージ表示タイミング通知部は、これを元にタイミング情報を作成して、放送受信装置１は、通信部１０４からこのタイミング情報をＴＶ２に向けて送信する。
【００７２】
次に、ＴＶ２の構成について説明する。通信部２０１、ストリーム処理部２０２、メッセージ情報処理部２０３、メッセージ表示部２０５、映像合成部２０６、表示画面２０７、ストリーム要求部２０８の動作は実施例１とほぼ同様であるので、説明を省略する。
【００７３】
実施例１のＴＶ２はタイマ２０４を有していたが、本実施例ではタイマ２０４を有していない。その代わりに、通信部２０１で受信されるタイミング情報を処理するタイミング情報処理部２１０持つ。
【００７４】
通信部２０１は、タイミング情報を放送受信装置１から受信すると、これをタイミング情報処理部２１０に渡す。タイミング情報処理部２１０は、これに基づいてメッセージ表示部２０５に対して自動表示メッセージの表示若しくは非表示状態の切り替えを通知する。メッセージ表示部２０５は、メッセージ情報処理部２０３から出力される自動表示メッセージの映像合成部２０６への出力及び非出力を、当該タイミング情報処理部２１０からの通知を受けて切り換える。
【００７５】
図２４及び図２５は、メッセージ表示タイミング通知部１０８で作成されるタイミング情報の例である。このタイミング情報も、ＵＰｎＰ表現で記載される。
図２４のタイミング情報は、ｃｏｎｔａｉｎｅｒＵｐｄａｔｅＩＤ要素として記載される。図２４の例では、Ｔｕｎｅｒ１の状態が変化したことがわかる。「１２３」という番号は、各状態変化に対して通し番号として割り当てられる番号であり、１命令ずつインクリメントされる。このような番号を割り当てることにより、例えばＴＶ２で受信されるタイミング情報が、前回受信したタイミング情報の値と比してこの値が２大きくなっていれば、その前に１つ命令の受信に失敗していることがわかる。
【００７６】
図２５の例では、表示状態の変化を示すａｕｔｏＭｅｓｓａｇｅＵｐｄａｔｅ要素の下に、自動表示メッセージの内容を示すｆｏｏ：ａｕｔｏＭｅｓｓａｇｅ要素を持つことにより、表示状態を変化させるタイミング情報だけでなく、自動表示メッセージの内容に関する情報までも通知することができる。例えば、自動表示メッセージのメッセージコードの内容が変化した場合等に有効である。
【００７７】
次に、自動表示メッセージに関する処理の流れについて図２６及び図２７を参照しながら説明する。図２６は、自動表示メッセージに関するメッセージ情報及びタイミング情報の送信に係る放送受信装置１の処理の流れを示すフローチャートである。
【００７８】
まず放送受信装置１は、通信部１０４でＴＶ２からストリームの取得要求を受信する（Ｓ２５０１）。この要求には、受信を望むチャネル番号に関する情報が含まれる。放送受信装置１は、ストリームの取得要求を受信すると、チューナ部１０１で受信するチャネルを切り換えると共に、チューナ部１０１で放送局から自動表示メッセージに関するメッセージ情報を受信する（Ｓ２５０２）。これは実施例１でも記載した通り、ＥＭＭの形式で放送局から送信される。さらに、放送受信装置１は、タイマ１０７を起動させる（Ｓ２５０３）と共に、このメッセージ情報をストリーム解析部１０２で映像ストリーム及び音声ストリームから分離し、メッセージ情報生成部１０３でＵＰｎＰ表現に変換する（Ｓ２５０４）。ここで出力されるメッセージ情報は、実施例１で示した図９のような形式で記載されるものである。
【００７９】
さらに、放送受信装置１は、通信部１０４からメッセージ情報が変化した旨の通知をＴＶ２に対して送信する（Ｓ２５０５）。通信部１０４でＴＶ２からの応答であるメッセージ情報取得要求を受信すれば（Ｓ２５０６）、放送受信装置１はメッセージ情報生成部１０３から出力されるＵＰｎＰ表現のメッセージ情報をＴＶ２に向けて送信する（Ｓ２５０７）。
【００８０】
放送受信装置は、Ｓ２５０３以降計測しているストリーム受信開始後の経過時間と、ＥＭＭ情報から得られる表示及び非表示時間とを比較し（Ｓ１１０３）、表示状態を切り換えるでなければ（Ｓ２５０８のＮｏ）、表示状態の切り換え時間が来るのを待つ（Ｓ２５０８）。表示状態を切り換える時間であれば（Ｓ２５０８のＹｅｓ）、タイマ１０７はこれをメッセージ表示タイミング通知部１０８に通知し、メッセージ表示タイミング通知部１０８は図２４若しくは図２５で示したタイミング情報を作成し、通信部１０４からＴＶ２に向けて送信する（Ｓ２５０９）。この後、ＴＶ２はＥＭＭ情報の自動表示回数で得られる表示回数分の表示を終えたか否かを判断し（Ｓ２５０１）、まだ指定回数の表示を終えていなければ、Ｓ２５０８の処理へ戻る。
【００８１】
図２７は、メッセージ情報の受信及び自動表示メッセージの表示、非表示に係るＴＶ２の処理の流れを示すフローチャートである。
ＴＶ２は、図２６のＳ２５０５で放送受信装置１から送信されるメッセージ情報の変化通知の通信部２０１での受信を受けて、メッセージ情報の取得要求を通信部２０１から放送受信装置１へ送信し（Ｓ２６０１）、これに応じて放送受信装置１から送信されるメッセージ情報を通信部２０１で受信する（Ｓ２６０２）。通信部２０１で受信されたメッセージ情報は、メッセージ情報処理部２０３へ渡され、自動表示メッセージのメッセージコードや表示位置に関する情報をメッセージ表示部２０５に出力される。
【００８２】
タイミング情報処理部２１０は、タイミング情報を通信部２０１で受信したか否かを判断し、通信部２０１でタイミング情報を受信していなければ（Ｓ２６０３のＮｏ）、この受信を待つ（Ｓ２６０３）。タイミング情報を通信部２０１で受信すれば（Ｓ２６０３のＹｅｓ）、これをメッセージ表示部２０５に通知し、メッセージ表示部２０５から映像合成部２０６への自動表示メッセージの出力若しくは非出力を切り換える（Ｓ２６０４）。即ち、表示画面２０７での自動表示メッセージの表示若しくは非表示状態を切り換える。この後、Ｓ２６０３の処理へ戻る。
【００８３】
以上説明したように、本実施例では、放送受信装置１から自動表示メッセージの表示、非表示状態のタイミングを通知する。これにより、ＴＶ２側でタイマを必ずしも有する必要が無い。
【図面の簡単な説明】
【００８４】
【図１】本発明の実施例１に係る映像受信装置及びＴＶ、ＰＣが使用される映像システムの構成例を示す図。
【図２】本発明の実施例１に係る映像機器装置で自動表示メッセージを表示した表示画面の例を示す図。
【図３】本発明の実施例１に係る放送受信装置の構成を示す図。
【図４】本発明の実施例１に係るＴＶの構成を示す図。
【図５】本発明の実施例１に係る映像受信装置がチャネル選局に必要な情報を提示する際に用いるチューナ表現を模式的に示す図。
【図６】図５のチューナ表現の具体的な実装例。
【図７】ＥＭＭ情報の詳細な構成例を示す図。
【図８】ＥＭＭ情報の自動表示継続時間について説明するための図。
【図９】本発明の実施例１に係る放送受信装置でＵＰｎＰ形式に変換されたメッセージ情報の例を示す図。
【図１０】本発明の実施例１に係る放送受信装置による自動表示メッセージに関するメッセージ情報の送信に係る処理の流れを示す図。
【図１１】本発明の実施例１に係るＴＶでのストリーム受信後の経過時間測定に係る処理の流れを示す図。
【図１２】本発明の実施例１に係るＴＶの、メッセージ情報の受信及び自動表示メッセージの表示、非表示に係る処理の流れを示す図。
【図１３】本発明の実施例１に係る放送受信装置でＵＰｎＰ表現に変換されたメッセージ情報の変形例を示す図。
【図１４】本発明の実施例１に係る放送受信装置でＵＰｎＰ表現に変換されたメッセージ情報の変形例を示す図。
【図１５】本発明の実施例１に係る放送受信装置でＵＰｎＰ表現に変換されたメッセージ情報の変形例を示す図。
【図１６】本発明の実施例２に係る放送受信装置の構成を示す図。
【図１７】本発明の実施例２に係るＴＶの構成を示す図。
【図１８】本発明の実施例２に係る放送受信装置での自動表示メッセージの表示、非表示タイミングとＧＯＰとの対応付けについて説明するための図。
【図１９】本発明の実施例２に係る放送受信装置でＵＰｎＰ表現に変換されたメッセージ情報の例を示す図。
【図２０】本発明の実施例２に係る放送受信装置による自動表示メッセージに関するメッセージ情報の送信に係る処理の流れを示す図。
【図２１】本発明の実施例２に係るＴＶによるメッセージ情報の受信及び自動表示メッセージの表示、非表示に係る処理の流れを示す図。
【図２２】本発明の実施例３に係る放送受信装置の構成を示す図。
【図２３】本発明の実施例３に係るＴＶの構成を示す図。
【図２４】本発明の実施例３に係る放送受信装置で作成されるタイミング情報の例を示す図。
【図２５】本発明の実施例３に係る放送受信装置で作成されるタイミング情報の変形例を示す図。
【図２６】本発明の実施例３に係る放送受信装置による自動表示メッセージに関するメッセージ情報の送信及びタイミング情報の送信に係る処理の流れを示す図。
【図２７】本発明の実施例３に係るＴＶ２の自動表示メッセージの表示、非表示に係る処理の流れを示す図。
【符号の説明】
【００８５】
１・・・放送受信装置
２・・・テレビ
２ａ・・・メッセージ
３・・・ＰＣ
１０１・・・チューナ部
１０２・・・ストリーム解析部
１０３・・・メッセージ情報生成部
１０４・・・通信部
１０５・・・ストリーム選択部
１０６・・・ストリーム関連付け部
１０７・・・タイマ
１０８・・・メッセージ表示タイミング通知部
２０１・・・通信部
２０２・・・ストリーム処理部
２０３・・・メッセージ情報処理部
２０４・・・タイマ
２０５・・・メッセージ表示部
２０６・・・映像合成部
２０７・・・表示画面
２０８・・・ストリーム要求部
２０９・・・ストリーム監視部
２１０・・・タイミング情報処理部
【図１】
2006319573.tif 000003
【図２】
2006319573.tif 000004
【図３】
2006319573.tif 000005
【図４】
2006319573.tif 000006
【図５】
2006319573.tif 000007
【図６】
2006319573.tif 000008
【図７】
2006319573.tif 000009
【図８】
2006319573.tif 000010
【図９】
2006319573.tif 000011
【図１０】
2006319573.tif 000012
【図１１】
2006319573.tif 000013
【図１２】
2006319573.tif 000014
【図１３】
2006319573.tif 000015
【図１４】
2006319573.tif 000016
【図１５】
2006319573.tif 000017
【図１６】
2006319573.tif 000018
【図１７】
2006319573.tif 000019
【図１８】
2006319573.tif 000020
【図１９】
2006319573.tif 000021
【図２０】
2006319573.tif 000022
【図２１】
2006319573.tif 000023
【図２２】
2006319573.tif 000024
【図２３】
2006319573.tif 000025
【図２４】
2006319573.tif 000026
【図２５】
2006319573.tif 000027
【図２６】
2006319573.tif 000028
【図２７】
2006319573.tif 000029